(57)【要約】【課題】  突発的な外乱が重畳された映像信号に対して精度良くノイズレベルを検出でき、高いノイズ抑制効果を持つ映像信号処理用半導体装置およびその制御方法を実現する。【解決手段】  本発明の映像信号処理用半導体装置およびその制御方法は、映像信号１７の２つの異なるラインから算出されるノイズ量を比較し、それらの差が所定の値より大きいことを示すノイズ相関信号１４を生成するライン相関回路１２およびフィールド相関回路１３と、ノイズ相関信号１４に基づいて、ノイズ抽出を行うＳ／Ｎ検出ラインを決定し、所定のパルス幅を持つＳ／Ｎ検出パルス２１を生成する制御回路１６と、Ｓ／Ｎ検出パルス２１に基づいて映像信号１７のノイズを抽出してＳ／Ｎ信号２２を出力するＳ／Ｎ検出回路１１を有する。【選択図】  図１
2005167778.tif 000002
【特許請求の範囲】
【請求項１】
時系列をなす複数のライン信号からなる映像信号を受信し、２つの異なる前記ライン信号から算出されるノイズ量を比較し、それらの差が所定の値より大きいことを示す相関信号を生成する相関信号生成手段と、
前記相関信号生成手段から受信した前記相関信号に基づいて、前記複数の前記ライン信号のうちノイズ抽出を行うＳ／Ｎ検出ラインを決定し、所定のパルス幅を持つＳ／Ｎ検出パルスを前記Ｓ／Ｎ検出ラインに対応して生成する制御手段と、
前記映像信号および前記Ｓ／Ｎ検出パルスを受信し、前記Ｓ／Ｎ検出パルスに基づいて前記Ｓ／Ｎ検出ラインのノイズを抽出して出力するＳ／Ｎ検出手段を有することを特徴とする映像信号処理用半導体装置。
【請求項２】
前記相関信号生成手段は、
前記映像信号の前記ライン信号ごとに所定の時間内でノイズを抽出してノイズ量を算出するノイズ抽出手段と、
前記ノイズ抽出手段で算出された前記ノイズ量を受信し、これを所定の時間遅延させて遅延ノイズ量として出力する遅延手段と、
前記ノイズ抽出手段で算出された前記ノイズ量および前記遅延手段からの前記遅延ノイズ量に基づいて前記相関信号を生成して出力する比較手段を有することを特徴とする請求項１に記載の映像信号処理用半導体装置。
【請求項３】
前記遅延手段は、
前記ライン信号の１ライン分に相当する時間前記ノイズ量を遅延させることを特徴とする請求項２に記載の映像信号処理用半導体装置。
【請求項４】
前記遅延手段は、
前記映像信号の１フィールドに相当する時間前記ノイズ量を遅延させることを特徴とする請求項２に記載の映像信号処理用半導体装置。
【請求項５】
前記相関信号生成手段は、さらに、
前記映像信号の垂直ブランキング期間にある前記ライン信号を対象として前記相関信号を生成することを特徴とする請求項１に記載の映像信号処理用半導体装置。
【発明の詳細な説明】
【技術分野】
【０００１】
本発明は、映像信号処理用半導体装置に係わり、特に、映像信号のノイズレベル検出機能を有する映像信号処理用半導体装置に関する。
【背景技術】
【０００２】
従来の映像信号処理用半導体装置では、入力映像信号のノイズを抑制する目的で、ノイズレベルの検出（以下、「Ｓ／Ｎ検出」という。）を垂直ブランキング期間で行っている。通常使用されている複合映像信号の垂直ブランキング期間には、本来の情報信号は挿入されていないので、任意のラインに対してＳ／Ｎ検出の検出開始位置や検出幅をかなり自由に設定することができる。
【０００３】
ところで、従来の映像信号処理用半導体装置には、垂直ブランキング期間に突発的な外乱、例えば、スイッチングノイズなどが重畳されると、Ｓ／Ｎ検出の精度か極端に低下するという問題があった。
【０００４】
また、コピーガードなどの目的で垂直ブランキング期間に白ピークとなる信号を重畳させた映像信号を出力する機器がある。このような映像以外の目的で挿入される情報信号も、Ｓ／Ｎ検出にとっては外乱となり得る。その場合、従来のＳ／Ｎ検出では、本来のノイズレベルとは大きく異なる結果を出力してしまうという問題があった。
【０００５】
図８は、従来のＳ／Ｎ検出の問題点を説明するための波形図である。ここでは、一例として、垂直ブランキング期間の第７〜９ラインでＳ／Ｎ検出を行う場合を示した。
【０００６】
映像信号の波形は、垂直ブランキング期間の１０ラインをイメージしている。波形の上部には各ライン番号が示してある。
【０００７】
Ｓ／Ｎ検出バルスは、映像信号からノイズを抽出するために、Ｓ／Ｎ検出の検出スタート位相と検出幅を規定する。
【０００８】
Ｓ／Ｎ信号は、Ｓ／Ｎ検出パルスにより映像信号から抽出されたノイズ信号である。ノイズレベルの抑制には、Ｓ／Ｎ信号の絶対値を各ライン区間で積分したノイズ量の平均値が用いられる。
【０００９】
ここで、図８に示したように、例えば、入力映像信号の第９ラインに白ピークとなる信号（以下、「識別信号」という。）が重畳された場合、それに対応するＳ／Ｎ信号は第７、第８ラインに対応するＳ／Ｎ信号に比べ非常に大きな振幅となり、結果としてＳ／Ｎ検出によるノイズレベル抑制の精度が極端に低下することとなる。
【００１０】
つまり、第７〜９ラインのノイズ量の平均値をノイズレベル抑制に用いると、重要な映像情報までが抑制されてしまい、正常なノイズレベル抑制が行えない可能性が非常に高くなる。
【００１１】
この問題に対応するために、水平ブランキング期間のバックポーチでＳ／Ｎ検出を行う方法（例えば、特許文献１を参照。）が提案されている。
【００１２】
しかし、複合映像信号のバックポーチにはバースト信号が重畳されており、帯域除去フィルター（以下、「ＢＰＦ」という。）でバースト信号を除去するか、バースト信号をさけてＳ／Ｎ検出を行う必要があった。
【００１３】
前者の場合、バースト信号だけを完全に除去することは難しいため、Ｓ／Ｎ検出の結果にある程度の誤差を許容しなければならないという問題があった。
【００１４】
また、後者の場合、バースト信号をさけるためにＳ／Ｎ検出の範囲が狭くなり、結果として検出精度が低下するという問題があった。
【００１５】
さらに、バースト信号の位置は入力映像信号によって変化するため、やはり、バースト信号を完全に回避してＳ／Ｎ検出を行うことは困難であった。
【００１６】
さらに、いずれの方法も、識別信号が重畳されていない場合は、垂直ブランキング期間にＳ／Ｎ検出する従来の方法に比べ、検出精度が劣るという本質的な問題があった。
【特許文献１】特開２０００−１７５０７７号公報
【発明の開示】
【発明が解決しようとする課題】
【００１７】
上述のごとく、従来の映像信号処理用半導体装置およびその制御方法は、突発的な外乱が入力映像信号に重畳されるとＳ／Ｎ検出の精度が極端に低下するという問題があった。
【００１８】
本発明は、上記問題点を解決するためになされたもので、突発的な外乱が重畳された映像信号に対して精度良くノイズレベルを検出でき、高いノイズ抑制効果を持つ映像信号処理用半導体装置およびその制御方法を提供することを目的とする。
【課題を解決するための手段】
【００１９】
本発明の一態様によれば、時系列をなす複数のライン信号からなる映像信号を受信し、２つの異なる前記ライン信号から算出されるノイズ量を比較し、それらの差が所定の値より大きいことを示す相関信号を生成する相関信号生成手段と、前記相関信号生成手段から受信した前記相関信号に基づいて、前記複数の前記ライン信号のうちノイズ抽出を行うＳ／Ｎ検出ラインを決定し、所定のパルス幅を持つＳ／Ｎ検出パルスを前記Ｓ／Ｎ検出ラインに対応して生成する制御手段と、前記映像信号および前記Ｓ／Ｎ検出パルスを受信し、前記Ｓ／Ｎ検出パルスに基づいて前記Ｓ／Ｎ検出ラインのノイズを抽出して出力するＳ／Ｎ検出手段を有することを特徴とする映像信号処理用半導体装置が提供される。
【発明の効果】
【００２０】
本発明によれば、ノイズ量相関値を用いて突発的なノイズレベルの変化を検出し、これを排除することができるので、精度良くノイズレベルを検出でき、高いノイズ抑制効果を持つ映像信号処理用半導体装置およびその制御方法を実現することができる。
【発明を実施するための最良の形態】
【００２１】
以下、図面を参照しながら、本発明の実施例を説明する。
【実施例】
【００２２】
図１は、本発明の実施例に係わる映像信号処理用半導体装置を示す回路ブロック図である。ここでは、主に、ノイズ抑制のためのＳ／Ｎ検出とその制御にかかわる部分を示した。
【００２３】
本発明の実施例に係わる映像信号処理用半導体装置は、ノイズレベルの検出を行うＳ／Ｎ検出回路１１、ラインのノイズ量相関値を算出するライン相関回路１２、フィールドのノイズ量相関値を算出するフィールド相関回路１３、ノイズ相関信号１４を生成するＯＲ回路１５、およびノイズ相関信号１４に従ってＳ／Ｎ検出回路１１を制御する制御回路１６を備えている。
【００２４】
ライン相関回路１２の一方の入力には映像信号１７が接続され、他方の入力には制御回路１６の出力であるノイズ抽出パルス１８が接続され、ライン相関回路１２の出力であるライン相関信号１９はＯＲ回路１５へ供給されている。
【００２５】
フィールド相関回路１３の一方の入力には映像信号１７が接続され、他方の入力には制御回路１６の出力であるノイズ抽出パルス１８が接続され、フィールド相関回路１３の出力であるフィールド相関信号２０はＯＲ回路１５へ供給されている。
【００２６】
ＯＲ回路１５の一方の入力にはライン相関信号１９が接続され、他方の入力にはフィールド相関信号２０が接続され、その出力であるノイズ相関信号１４は制御回路１６へ供給されている。
【００２７】
制御回路１６の入力にはノイズ相関信号１４が接続され、一方の出力であるＳ／Ｎ検出パルス２１はＳ／Ｎ検出回路１１に供給されている。また、制御回路１６の他方の出力であるノイズ抽出パルス１８はライン相関回路１２およびフィールド相関回路１３へ供給されている。
【００２８】
Ｓ／Ｎ検出回路１１の一方の入力には映像信号１７が接続され、他方の入力にはＳ／Ｎ検出パルス２１が接続され、Ｓ／Ｎ検出回路１１の出力であるＳ／Ｎ信号２２はノイズ抑制回路（図には示していない。）へ供給されている。
【００２９】
ライン相関回路１２は、ノイズ抽出パルス１８によって規定される抽出開始位置と抽出幅に基づいて、映像信号１７の垂直ブランキング期間に属する各ラインからノイズ量を算出し、それらのノイズ量相関値を求めてライン相関信号１９として出力する。
【００３０】
フィールド相関回路１３は、同様に、ノイズ抽出パルス１８に基づいて、映像信号１７の各ラインからノイズ量を算出し、それらのノイズ量相関値を求めてフィールド相関信号２０として出力する。
【００３１】
ライン相関回路１２との違いは、後述するように、そのノイズ量相関値を求める際のノイズ量の遅延時間にある。
【００３２】
ＯＲ回路１５は、ライン相関信号１９およびフィールド相関信号２０の論理和をノイズ相関信号１４として出力する。
【００３３】
制御回路１６は、Ｓ／Ｎ検出回路１１でノイズを抽出するＳ／Ｎ検出ラインをノイズ相関信号１４に従って決定し、ノイズ抽出の開始位置と抽出幅を規定するＳ／Ｎ検出パルス２１を生成し、これをＳ／Ｎ検出回路１１へ出力する。
【００３４】
また、制御回路１６は、垂直ブランキング期間でノイズ量相関値を算出するためのノイズ抽出パルス１８を生成し、これをライン相関回路１２およびフィールド相関回路１３へ出力する。
【００３５】
ノイズ抽出パルス１８は、映像信号１７の垂直ブランキング期間の各ラインでノイズ信号を抽出する抽出開始位置と抽出幅を規定している。
【００３６】
Ｓ／Ｎ検出回路１１は、Ｓ／Ｎ検出パルス２１に基づいて、映像信号１７の各ラインからノイズ信号を抽出し、これをＳ／Ｎ信号２２としてノイズ抑制回路へ出力する。
【００３７】
図２は、本発明の実施例に係わる映像信号処理用半導体装置におけるライン相関回路１２およびフィールド相関回路１３を示す回路ブロック図である。
【００３８】
本発明の実施例に係わる映像信号処理用半導体装置のライン相関回路１２は、映像信号１７からラインノイズ量３１を算出するノイズ抽出回路３２ａ、ラインノイズ量３１を１ライン分遅延させてライン遅延ノイズ量３３として出力するライン遅延回路３４、およびラインノイズ量３１とライン遅延ノイズ量３３を比較してライン相関信号１９を出力する比較回路３５ａを備えている。
【００３９】
同様に、フィールド相関回路１３は、映像信号１７からフィールドノイズ量３６を算出するノイズ抽出回路３２ｂ、フィールドノイズ量３６を１フィールド分遅延させてフィールド遅延ノイズ量３７として出力するフィールド遅延回路３８、およびフィールドノイズ量３６とフィールド遅延ノイズ量３７を比較してフィールド相関信号２０を出力する比較回路３５ｂを備えている。
【００４０】
ライン相関回路１２にあるノイズ抽出回路３２ａの一方の入力には映像信号１７が接続され、他方の入力にはノイズ抽出パルス１８が接続され、ノイズ抽出回路３２ａの出力であるラインノイズ量３１は、比較回路３５ａおよびライン遅延回路３４へ供給されている。
【００４１】
ライン遅延回路３４の入力にはラインノイズ量３１が接続され、その出力であるライン遅延ノイズ量３３は、比較回路３５ａへ供給されている。
【００４２】
比較回路３５ａの一方の入力にはラインノイズ量３１が接続され、他方の入力にはライン遅延ノイズ量３３が接続され、比較回路３５ａの出力であるライン相関信号１９は、ＯＲ回路１５の一方の入力に接続されている。
【００４３】
フィールド相関回路１３にあるノイズ抽出回路３２ｂの一方の入力には映像信号１７が接続され、他方の入力にはノイズ抽出パルス１８が接続され、ノイズ抽出回路３２ｂの出力であるフィールドノイズ量３６は、比較回路３５ｂおよびフィールド遅延回路３８へ供給されている。
【００４４】
フィールド遅延回路３８の入力にはフィールドノイズ量３６が接続され、その出力であるフィールド遅延ノイズ量３７は、比較回路３５ｂへ供給されている。
【００４５】
比較回路３５ｂの一方の入力にはフィールドノイズ量３６が接続され、他方の入力にはフィールド遅延ノイズ量３７が接続され、比較回路３５ｂの出力であるフィールド相関信号２０は、ＯＲ回路１５の他方の入力に接続されている。
【００４６】
ノイズ抽出回路３２ａは、ノイズ抽出パルス１８の抽出開始位置と抽出幅に基づいて、映像信号１７の垂直ブランキング期間にある各ラインからノイズ信号を抽出し、そのノイズ量を算出しラインノイズ量３１として出力する。
【００４７】
ラインノイズ量３１は、抽出したノイズ信号の絶対値を各ライン区間で積分して算出される。
【００４８】
ライン遅延回路３４は、ノイズ抽出回路３２ａから受信したラインノイズ量３１を一時記憶する記憶部を有し、各ラインのラインノイズ量３１を１ライン区間に相当する時間記憶し遅延させて、順次、ライン遅延ノイズ量３３として比較回路３５ａへ出力する。
【００４９】
比較回路３５ａは、ラインノイズ量３１およびライン遅延ノイズ量３３を受信し、これらの値を比較してノイズ量相関値を算出しライン相関信号１９として出力する。
【００５０】
ノイズ量相関値は、例えば、ラインノイズ量３１がライン遅延ノイズ量３３の２倍を超えた場合に“１”、それ以外を“０”とする。
【００５１】
ノイズ抽出回路３２ｂは、ノイズ抽出回路３２ａと同様に、各ラインからノイズ信号を抽出し、そのノイズ量を算出しフィールドノイズ量３６として出力する。
【００５２】
フィールド遅延回路３８は、ノイズ抽出回路３２ｂから受信したフィールドノイズ量３６を一時記憶する記憶部を有し、各ラインのフィールドノイズ量３６を１フィールドに相当する時間記憶し遅延させて、順次、フィールド遅延ノイズ量３７として比較回路３５ｂへ出力する。
【００５３】
ここでいう１フィールドとは、ＮＴＳＣ規格での１画面に相当し、次の垂直ブランキング期間の対応するラインまでを指す。
【００５４】
比較回路３５ｂは、フィールドノイズ量３６およびフィールド遅延ノイズ量３７を受信し、これらの値を比較してノイズ量相関値を算出しフィールド相関信号２０として出力する。
【００５５】
ノイズ量相関値は、例えば、フィールドノイズ量３６がフィールド遅延ノイズ量３７の２倍を超えた場合に“１”、それ以外を“０”とする。
【００５６】
次に、ライン相関回路１２の動作フローについて説明する。
【００５７】
図３は、本発明の実施例に係わる映像信号処理用半導体装置におけるライン相関回路１２の動作を示すフロー図である。
【００５８】
本発明の実施例に係わる映像信号処理用半導体装置におけるライン相関回路１２の動作は、ノイズ抽出回路３２ａでラインノイズ量３１を算出するラインノイズ抽出ステップ５１、ライン遅延回路３４でラインノイズ量３１を１ライン分遅延させるライン記憶ステップ５２、比較回路３５ａでラインノイズ量３１とライン遅延ノイズ量３３を比較するラインノイズ比較ステップ５３、およびライン相関信号１９を生成しＯＲ回路１５へ出力するライン相関生成ステップ５４とから構成される。
【００５９】
映像信号１７が垂直ブランキング期間に入ると、まず、ラインノイズ抽出ステップ５１で、ノイズ抽出パルス１８に基づいてラインノイズ量３１が算出される。ノイズ抽出パルス１８の抽出開始位置と抽出幅は、制御回路１６にあるＲＯＭなどにあらかじめプログラムされている。垂直ブランキング期間にある各ラインには、通常、情報信号は重畳されていないので、抽出開始位置と抽出幅の値は処理する映像信号１７の性質に合わせてライン区間内で自由に設定することができる。
【００６０】
ノイズ抽出パルス１８によって抽出されたノイズ信号は、サンプリングされデジタル値に変換された後、積分されてラインノイズ量３１としてライン遅延回路３４および比較回路３５ａへ出力される。
【００６１】
ライン記憶ステップ５２では、ライン遅延回路３４が受信したラインノイズ量３１を次のラインで使用するために記憶部に一時記憶する。同時に、１つ前のライン区間で記憶したラインノイズ量３１を記憶部から取り出し、ライン遅延ノイズ量３３として比較回路３５ａへ出力する。
【００６２】
ラインノイズ比較ステップ５３では、ラインノイズ抽出ステップ５１で算出したラインノイズ量３１とライン記憶ステップ５２で生成したライン遅延ノイズ量３３を比較しノイズ量相関値を算出する。
【００６３】
ノイズ量相関値が基準値を超えた場合（“ＮＧ”）には、ライン相関生成ステップ５４が選択され、それ以外の場合（“ＯＫ”）は、このラインに対する動作は終了する。
【００６４】
ノイズ量相関値の基準値は、映像信号１７の性質に合わせてあらかじめ設定しておく。
【００６５】
ライン相関生成ステップ５４では、ラインノイズ比較ステップ５３で算出されたノイズ相関値に基づいて、ライン相関信号１９を生成出力し、このラインでのＳ／Ｎ検出が有効または無効であることを制御回路１６に通知する。
【００６６】
ライン相関生成ステップ５４が終了すると、このラインに対するライン相関回路１２の動作は終了する。
【００６７】
これら一連の動作は、次のライン抽出パルスが入力されるまでの間で行われ、垂直ブランキング期間の各ラインに対して繰り返される。
【００６８】
図４は、本発明の実施例に係わる映像信号処理用半導体装置におけるライン相関によるＳ／Ｎ検出方法を示す波形図である。ここでは、一例として、ＮＴＳＣ規格に従う映像信号１７をライン相関回路１２によるライン相関信号１９でＳ／Ｎ検出する場合を示した。
【００６９】
ここでは、主に、映像信号１７の垂直ブランキング期間にある１０ラインを示した。なお、映像信号１７の上部に付した数字は、フィールド内でのライン番号である。
【００７０】
また、一例として、ここでは、デフォルトで映像信号１７の第７〜９ラインをＳ／Ｎ検出し、突発的な外乱（識別信号）が映像信号１７の第９ラインに重畳された場合を示した。
【００７１】
制御回路１６からのノイズ抽出パルス１８により抽出されたノイズ信号（ノイズ抽出結果）は、ライン遅延回路３４により１ライン分遅延される。
【００７２】
これらに基づいてライン相関回路１２で生成されたライン相関信号１９により、制御回路１６でＳ／Ｎ検出パルス２１が生成される。
【００７３】
図からわかるように、識別信号が重畳された第９ラインでは、ライン相関回路１２でのノイズ量相関値が基準値を超えるため、制御回路１６はＳ／Ｎ検出パルス２１を生成せず、結果としてＳ／Ｎ信号２２には第７、８ラインのノイズだけが抽出されている。
【００７４】
外乱がなくなれば、再度、第９ラインのＳ／Ｎ検出パルス２１が生成され、デフォルトの第７〜９ラインでのＳ／Ｎ検出に復帰する。
【００７５】
なお、ここでは、外乱を検出したときに、そのラインをＳ／Ｎ検出の対象から外す場合を示したが、他に、Ｓ／Ｎ検出の対象ラインを変更することもできる。すなわち、第９ラインで外乱が検出された時に、Ｓ／Ｎ検出を第６〜８ラインに変更するオプションもある。
【００７６】
これらのオプションの選択は、制御回路１６で行う。
【００７７】
次に、フィールド相関回路１３の動作フローについて説明する。
【００７８】
図５は、本発明の実施例に係わる映像信号処理用半導体装置におけるフィールド相関回路１３の動作を示すフロー図である。
【００７９】
本発明の実施例に係わる映像信号処理用半導体装置におけるフィールド相関回路１３の動作は、ノイズ抽出回路３２ｂでフィールドノイズ量３６を算出するフィールドノイズ抽出ステップ６１、フィールド遅延回路３８でフィールドノイズ量３６を１フィールド分遅延させるフィールド記憶ステップ６２、比較回路３５ｂでフィールドノイズ量３６とフィールド遅延ノイズ量３７を比較するフィールドノイズ比較ステップ６３、およびフィールド相関信号２０を生成しＯＲ回路１５へ出力するフィールド相関生成ステップ６４とから構成される。
【００８０】
フィールド記憶ステップ６２を除く、フィールドノイズ抽出ステップ６１、フィールドノイズ比較ステップ６３、およびフィールド相関生成ステップ６４での動作は、図３の対応する各ステップと同様なので説明は省略する。
【００８１】
違いは、ラインノイズ量３１がフィールドノイズ量３６に、ライン遅延ノイズ量３３がフィールド遅延ノイズ量３７に、ライン相関信号１９がフィールド相関信号２０に置き換わっていることである。
【００８２】
フィールド記憶ステップ６２では、フィールド遅延回路３８が受信したフィールドノイズ量３６を次のフィールドで使用するために記憶部に一時記憶する。同時に、１つ前のフィールドでの対応するライン区間で記憶したフィールドノイズ量３６を記憶部から取り出し、フィールド遅延ノイズ量３７として比較回路３５ｂへ出力する。
【００８３】
このため、フィールド遅延回路３８は、１フィールド前の第７〜９ラインのフィールドノイズ量３６をそれぞれ記憶する記憶部を備えている。
【００８４】
図６は、本発明の実施例に係わる映像信号処理用半導体装置におけるフィールド相関によるＳ／Ｎ検出方法を示す波形図である。ここでは、一例として、ＮＴＳＣ規格に従う映像信号１７をフィールド相関回路１３によるフィールド相関信号２０でＳ／Ｎ検出する場合を示した。
【００８５】
映像信号１７およびノイズ抽出パルス１８は、図４と同様なので、説明は省略する。
【００８６】
また、ここでは、図４と同様に、一例として、デフォルトのＳ／Ｎ検出ラインのうち第９ラインに突発的な外乱（識別信号）が重畳された場合を示した。
【００８７】
ノイズ抽出パルス１８により抽出されたノイズ信号（ノイズ抽出結果）はフィールド遅延回路３８により１フィールド分遅延される。図には、第ｎフィールドおよび第（ｎ−１）フィールドとして示した。
【００８８】
これらに基づいてフィールド相関回路１３で生成されたフィールド相関信号２０により、制御回路１６でＳ／Ｎ検出パルス２１が生成される。
【００８９】
図４と同じ第９ラインに識別信号が重畳されているため、結果として、Ｓ／Ｎ検出パルス２１およびＳ／Ｎ信号２２は図４と同じになっている。
【００９０】
実際には、図２に示したとおり、ライン相関信号１９とフィールド相関信号２０の論理和がノイズ相関信号１４として用いられている。このため、突発的な外乱に対してはそのフィールドからＳ／Ｎ検出ラインが変化し、外乱がなくなった後のデフォルトへの復帰は１フィールド後となる。
【００９１】
次に、上述した構成を持つ映像信号処理用半導体装置のノイズ抑制方法について説明する。
【００９２】
図７は、本発明の実施例に係わる映像信号処理用半導体装置におけるノイズ抑制方法を示すフロー図である。
【００９３】
本発明の実施例に係わる映像信号処理用半導体装置のノイズ抑制方法は、ライン相関回路１２およびフィールド相関回路１３でノイズ相関信号１４を算出する相関算出ステップ７１、ノイズ相関信号１４をもとにＳ／Ｎ検出ラインを決定する検出ライン決定ステップ７２、Ｓ／Ｎ検出ラインに対応するＳ／Ｎ検出パルス２１を生成する検出パルス生成ステップ７３、Ｓ／Ｎ検出パルス２１に基づいてＳ／Ｎ検出回路１１でＳ／Ｎ検出を行う検出ステップ７４、およびＳ／Ｎ信号２２をもとにノイズ抑制を行うノイズ抑制ステップ７５から構成される。
【００９４】
相関算出ステップ７１では、上述したように、まず、ライン相関回路１２でライン相関信号１９が算出され、フィールド相関回路１３でフィールド相関信号２０が算出される。次に、ＯＲ回路１５でライン相関信号１９とフィールド相関信号２０の論理和がノイズ相関信号１４として出力される。
【００９５】
検出ライン決定ステップ７２では、相関検出ステップ７４で出力されたノイズ相関信号１４に基づいて制御回路１６でＳ／Ｎ検出ラインが決定される。
【００９６】
すなわち、デフォルトのＳ／Ｎ検出ラインのうち、ノイズ相関信号１４が“１”であれば、そのラインをＳ／Ｎ検出ラインから除外し、ノイズ相関信号１４が“０”であれば、そのラインをＳ／Ｎ検出ラインとする。例えば、図４および図６のように、第７〜９ラインがデフォルトのＳ／Ｎ検出ラインであり、第９ラインに外乱（識別信号）がある場合には、第７、第８ラインがＳ／Ｎ検出ラインとなる。
【００９７】
検出パルス生成ステップ７３では、検出ライン決定ステップ７２で決定されたＳ／Ｎ検出ラインに基づいて、あらかじめ制御回路１６に設定されている検出開始位置と検出幅を持ったＳ／Ｎ検出パルス２１が生成され、Ｓ／Ｎ検出回路１１へ出力される。
【００９８】
Ｓ／Ｎ検出パルス２１は、例えば、図４および図６に示したように、そのラインがＳ／Ｎ検出ラインである場合に“Ｈ”バルスとなる。
【００９９】
検出ステップ７４では、検出パルス生成ステップ７３で生成されたＳ／Ｎ検出パルス２１に基づいて、Ｓ／Ｎ検出回路１１で映像信号１７からノイズ信号が抽出され、Ｓ／Ｎ信号２２としてノイズ抑制回路へ出力される。
【０１００】
相関算出ステップ７１〜検出ステップ７４の一連のステップは、映像信号１７の各フィールドにある垂直ブランキング期間に行われる。
【０１０１】
ノイズ抑制ステップ７５では、検出ステップ７４で出力されたＳ／Ｎ信号２２を用いて各フィールドの映像信号１７に対してノイズ抑制が行われる。
【０１０２】
上記実施例によれば、ライン相関信号１９およびフィールド相関信号２０を用いて、外乱（識別信号）が重畳されたラインをＳ／Ｎ検出ラインから除外することができるので、高い精度を持ったＳ／Ｎ検出を行うことができる。
【０１０３】
また、ノイズ相関信号１４を算出する部分を除けば、回路構成、Ｓ／Ｎ検出方法ともに従来に対して上位互換性があるので、Ｓ／Ｎ検出の検出開始位置や検出幅などは映像信号１７の性質に合わせて最適に設定することができ、高いノイズ抑制効果が期待できる。
【０１０４】
さらに、回路およびシステムの変更を最小限に抑えることができるので、回路検証やシステム検証、システム最適化などにかかる開発期間を大幅に短縮することができる。
【０１０５】
上述の実施例では、映像信号１７はＮＴＳＣ規格に従うとしたが、本発明はこれに限られるものではなく、ＰＡＬ規格など他の規格に従うものでも原理的には使用可能である。また、ノイズ量相関値の算出は垂直ブランキング期間に行うとしたが、本発明はこれに限られるものではなく、情報信号などが定常的には挿入されていないラインであれば、原理的にはどのラインでノイズ量相関値を算出しても良い。
【０１０６】
さらに、ノイズ量はデジタル値であるとしたが、本発明はこれに限られるものではなく、例えば、アナログ遅延回路で必要な遅延をかけた後、これを積分しても良い。また、逆に、映像信号１７にデジタル信号を用いて、ノイズ量相関値の算出を含めたＳ／Ｎ検出全体をデジタル処理することもできる。
【０１０７】
さらに、ノイズ量の遅延は１ライン分および１フィールド分であるとしたが、本発明はこれに限られるものではない。
【０１０８】
さらに、上述の実施例では、ライン相関回路１２とフィールド相関回路１３を併用しているが、本発明はこれに限られるものではなく、想定される外乱の統計的性質によっては、ライン相関回路１２またはフィールド相関回路１３を省略しても良いし、また、遅延量の異なる他の相関回路をさらに付加しても良い。
【０１０９】
さらに、上述の実施例では、ライン相関回路１２とフィールド相関回路１３で別々のノイズ抽出回路３２ａ、３２ｂを使用しているが、これらは実質的に同一の回路構成および機能を有するので、１つの回路で共用することもできる。
【図面の簡単な説明】
【０１１０】
【図１】本発明の実施例に係わる映像信号処理用半導体装置を示す回路ブロック図。
【図２】本発明の実施例に係わる映像信号処理用半導体装置におけるライン相関回路およびフィールド相関回路を示す回路ブロック図。
【図３】本発明の実施例に係わる映像信号処理用半導体装置におけるライン相関回路の動作を示すフロー図。
【図４】本発明の実施例に係わる映像信号処理用半導体装置におけるライン相関によるＳ／Ｎ検出方法を示す波形図。
【図５】本発明の実施例に係わる映像信号処理用半導体装置におけるフィールド相関回路の動作を示すフロー図。
【図６】本発明の実施例に係わる映像信号処理用半導体装置におけるフィールド相関によるＳ／Ｎ検出方法を示す波形図。
【図７】本発明の実施例に係わる映像信号処理用半導体装置におけるノイズ抑制方法を示すフロー図。
【図８】従来のＳ／Ｎ検出の問題点を説明するための波形図。
【符号の説明】
【０１１１】
１１  Ｓ／Ｎ検出回路
１２  ライン相関回路
１３  フィールド相関回路
１４  ノイズ相関信号
１５  ＯＲ回路
１６  制御回路
１７  映像信号
１８  ノイズ抽出パルス
１９  ライン相関信号
２０  フィールド相関信号
２１  Ｓ／Ｎ検出パルス
２２  Ｓ／Ｎ信号
３１  ラインノイズ量
３２ａ、３２ｂ  ノイズ抽出回路
３３  ライン遅延ノイズ量
３４  ライン遅延回路
３５ａ、３５ｂ  比較回路
３６  フィールドノイズ量
３７  フィールド遅延ノイズ量
３８  フィールド遅延回路
５１  ラインノイズ抽出ステップ
５２  ライン記憶ステップ
５３  ラインノイズ比較ステップ
５４  ライン相関生成ステップ
６１  フィールドノイズ抽出ステップ
６２  フィールド記憶ステップ
６３  フィールドノイズ比較ステップ
６４  フィールド相関生成ステップ
７１  相関算出ステップ
７２  検出ライン決定ステップ
７３  検出パルス生成ステップ
７４  検出ステップ
７５  ノイズ抑制ステップ
【図１】
2005167778.tif 000003
【図２】
2005167778.tif 000004
【図３】
2005167778.tif 000005
【図４】
2005167778.tif 000006
【図５】
2005167778.tif 000007
【図６】
2005167778.tif 000008
【図７】
2005167778.tif 000009
【図８】
2005167778.tif 000010